(57)【特許請求の範囲】
【請求項１】
カメラボディのペンタプリズム部上部に配置され、カメラボディ側に位置する収納位置とカメラボディから離反する使用位置とに発光部を移動させるストロボケースを備えた内蔵ストロボであって、
前記ストロボケースは、前記ペンタプリズム部を跨ぐ一対の、断面コ字状の脚部を備え、
該一方の脚部は、前記コ字状の脚部の対向する二つの面に形成された軸穴を前記脚部が対向する内側から貫通し、前記脚部の外側の面から突出した一方の端部が前記カメラボディ側に形成された軸受凹部に嵌合され、さらに他方の端部が前記カメラボディに対して固定された他の部材によって回動自在に支持された軸によって収納位置と使用位置とに移動可能に支持されていること、を特徴とする内蔵ストロボの軸構造。
【請求項２】
前記ストロボケースは、収納位置において前記断面コ字形状の脚部の開放面がカメラボディ外方を向くように形成され、該ストロボケースの開放側の面にストロボカバーが固定され、前記脚部は前記ストロボケースと前記ストロボカバーとによって箱形に形成されている請求項１記載の内蔵ストロボの軸構造。
【請求項３】
前記カメラボディのペンタプリズム部上に装着される上飾り板の前記ペンタプリズム部の両側外方位置に前記軸受凹部が形成され、前記他の部材は前記上飾り板に固定される請求項１または２記載の内蔵ストロボの軸構造。
【請求項４】
前記他の部材には、前記ストロボケースを収納位置で係止し、外部操作力により解除する係止手段が装着されている請求項１乃至３のいずれか一項記載の内蔵ストロボの軸構造。
【請求項５】
前記ストロボケースの脚部の前記内側の面には脚部が延びる方向に形成された長溝を備え、一方の端部に設けられたピンが前記長溝に摺動自在に嵌合され、他方の端部に設けられたピンが前記上飾り板に回動自在に支持され、トーションバネにより回動付勢されて前記ストロボケースを使用位置方向に付勢すると共に使用位置で停止させるリンクレバーを備え、前記他の部材は、該リンクレバーの他方の端部に設けられたピンを、前記上飾り板に設けられた軸受け凹部との間で回動自在に抜け止め支持するとともに、前記軸を前記軸受け凹部との間に回動自在に支持しかつ抜け止めする請求項１乃至４のいずれか一項記載の内蔵ストロボの軸構造。
【発明の詳細な説明】
【０００１】
【発明の技術分野】
本発明は、カメラボディの上部に出没可能に設けた内蔵ストロボの軸構造に関する。
【０００２】
【従来技術およびその問題点】
カメラボディの上部、つまり、ペンタプリズム（ペンタミラー）の上部にリトラクタブル構造の内蔵ストロボを設けた一眼レフカメラが知られている。この種の内蔵ストロボは、発光部が装着されたストロボケースを有し、このストロボケースは、ペンタプリズムを跨ぐ間隔で設けられた一対の脚部を備えている。そしてこの脚部の端部を、撮影レンズの光軸と直交する方向の軸を介してカメラボディの上飾り板に軸支し、この軸を中心としてストロボケースを回転させて、発光部材をカメラボディの収納位置とカメラボディから離反した使用位置とに移動させる構成のものがある。このストロボケースを上飾り板に連結する軸は、一対の脚部の外方から内方に向かって装着する構造である。ストロボケースには、発光ユニットの発光面を除く部分の保護、遮光等のため、ストロボカバーが装着される。
【０００３】
しかし、この従来の内蔵ストロボは、ストロボケースの断面がＬ字形状であり、このＬ字の一つの面に形成された軸穴を貫通する軸によって軸支されていたので、強度・剛性の点で問題があった。しかも、ストロボカバーを軸よりも先に装着すると、軸を装着する作業が困難になる。そこで、ストロボケースに発光ユニットなど組み込む作業の後、ストロボケースを軸を介して上飾り板に連結する作業を行い、その後にストロボカバーを装着する作業を行っていた。
【０００４】
【発明の目的】
本発明は上記従来の問題に鑑みてなされたもので、組み立てが容易であり、省スペース化を図りつつ強度と剛性の高い内蔵ストロボの軸構造を得ることを目的とする。
【０００５】
【発明の概要】
この目的を達成する本発明は、カメラボディのペンタプリズム部上部に配置され、カメラボディ側に位置する収納位置とカメラボディから離反する使用位置とに発光部を移動させるストロボケースを備えた内蔵ストロボであって、前記ストロボケースは、前記ペンタプリズム部を跨ぐ一対の、断面コ字状の脚部を備え、該一方の脚部は、前記コ字状の脚部の対向する二つの面に形成された軸穴を前記脚部が対向する内側から貫通し、前記脚部の外側の面から突出した一方の端部が前記カメラボディ側に形成された軸受凹部に嵌合され、さらに他方の端部が前記カメラボディに対して固定された他の部材によって回動自在に支持された軸によって収納位置と使用位置とに移動可能に支持されていること、に特徴を有する。
前記ストロボケースは、収納位置において前記断面コ字形状の脚部の開放面がカメラボディ上方を向くように形成され、該ストロボケースの開放側の面にストロボカバーが固定され、前記脚部は前記ストロボケースと前記ストロボカバーとによって箱形に形成するのが望ましい。
前記カメラボディのペンタプリズム部上に装着される上飾り板の前記ペンタプリズム部の両側外方位置に前記軸受凹部が形成され、前記他の部材は前記上飾り板に固定される。
前記他の部材は、ストロボケースを収納位置で係止し、外部操作力により解除する係止手段を備えた部材を兼用することができる。
前記ストロボケースの脚部の前記内側の面には脚部が延びる方向に形成された長溝を備え、一方の端部に設けられたピンが前記長溝に摺動自在に嵌合され、他方の端部に設けられたピンが前記上飾り板に回動自在に支持され、トーションバネにより回動付勢されて前記ストロボケースを使用位置方向に付勢すると共に使用位置で停止させるリンクレバーを備え、前記他の部材は、該リンクレバーの他方の端部に設けられたピンを、前記上飾り板に設けられた軸受け凹部との間で回動自在に抜け止め支持するとともに、前記軸を前記軸受け凹部との間に回動自在に支持しかつ抜け止めすることが望ましい。
【０００６】
【発明の実施形態】
以下図面に基づいて本発明を説明する。図１は、本発明を適用した一眼レフカメラボディ上部に装着される上飾り板のペンタプリズム部周辺部の実施形態を、内蔵ストロボを収納した状態で示す斜視図、同内蔵ストロボ使用位置に突出させた状態で示す斜視図である。
【０００７】
上飾り板１１は、ペンタプリズム（図示せず）の上部に被せられる膨出部１２を備え、この膨出部１２に形成された凹部内に、ペンタプリズムに被せられるペンタ屋根部１３と、アクセサリーシュー取り付け部１５と、内蔵ストロボの外部ユニット５０をペンタプリズム上部空間に収納する内蔵ストロボ収納部１７が形成されている。
【０００８】
外部ユニット５０は、ストロボケース５１とこのストロボケース５１に装着されたストロボカバー５２とによって構造体を形成していて、収納状態においてストロボカバー５２が上飾り板１１と一体化してカメラボディの外観を形成している。ストロボケース５１は、ペンタ屋根部１３を挟むように延びる一対の脚部５３、５４を一体として備えている。この脚部５３、５４に支持されたストロボケース５１の先端内面側に、突出位置では発光面（フレネルレンズ）６２が被写体方向を向く、クセノン管、リフレクタなどを備えた発光ユニット６１が装着されている（図１）。
【０００９】
脚部５３、５４の端部は、膨出部１２に軸支されていて、ストロボケース５１を、発光ユニット６１が被写体方向を向く使用位置と（図１）、発光ユニット６１が内蔵ストロボ収納部１７内に収納される収納位置と（図２）の間を移動可能に軸支している。
【００１０】
また、一方の脚部５３には、収納位置において内蔵ストロボ収納部１７内に収納されるフック５５が突設されている。フック５５は、先端部に係合溝５５ａが形成されている。ストロボケース５１が収納位置に移動したときにこの係合溝５５ａと、内蔵ストロボ収納部１７内に突出する係止手段（ロックレバー３３のフック３３ｂ、図４参照）とが係合し、ストロボケース５１が収納位置に係止される。図１、２において、符号１９は、係止手段と係合溝５５ａとの係合を解除させるポップアップボタンである。
【００１１】
ストロボケース５１およびその支持機構について、さらに図３〜図８を参照して説明する。図３は、ストロボケース５１を脚部５３、５４側から示す平面図、図４はストロボケース５１およびその支持機構を分解して下方から示す斜視図、図５は、外部ユニット５０を装着し、収納した状態を、カメラボディ内部から見た底面図、図６は図５の切断線VI−VIに沿う要部断面図、図７は図５の切断線VII−VIIに沿う要部断面図、図８は図５の切断線VIII−VIIIに沿う要部断面図である。
【００１２】
ストロボケース５１の本体部には、発光ユニット６１を収納する凹部５５０が形成されていて、発光ユニット６１を挟持する凹部５５０の両側部を形成する部分が延びて、脚部５３、５４を形成している。脚部５３、５４は、ストロボカバー５２を装着する側が開放された、断面コ字状に形成されている。ストロボカバー５２は、ストロボケース５１の輪郭に対応して形成され、脚部５３、５４を塞ぐ一対の脚カバー部５２ａを備えている。したがって脚部５３、５４は、ストロボカバー５２が装着されると、脚カバー部５２ａとによって箱形の構造体となり、曲げ強度、剛性が非常に強くなる。
【００１３】
一方の脚部５３の先端部には、対向する側壁のそれぞれに、同一の軸を貫通可能な円形の軸穴５３ａが形成されている。他方の脚部５４の先端部には、対向する側壁のそれぞれに、長方形の方形軸穴５４ａが形成されている。
【００１４】
脚部５３、５４の先端部は、内蔵ストロボ収納部１７に形成された開口（図示せず）から膨出部１２の内部に挿入される。そして軸穴５３ａには、円柱状の軸２１が、脚部５３、５４間から外方に向かって挿入され、軸穴５３ａを貫通した軸２１の先端の角形部２１ａが内蔵ストロボ収納部１７の反対側の面、すなわちカメラボディ内側面１８に形成された軸受け凹部１８ａ（図６参照）に、軸２１の軸心と直交する方向から嵌められる。軸２１の両端の角形部２１ａ、２１ｂは、この実施例では断面方形に形成されていて、角形部２１ａは軸受け凹部１８ａに対して回動不能に嵌められ、他の部材（本実施例では後述のロックブラケット２５）によって固定される。他方の角形部２１ｂは軸２１から外方に突設された外形が方形のフランジ状をなしていて、他の部材（ロックブラケット２５）により抜け止めが防止されている。また、軸２１にはトーションバネ２２が嵌められ（図４参照）、このトーションバネ２２が脚部５３を突出方向の回動付勢している。
【００１５】
長方形の軸穴５４ａには、断面が非円形、本実施例では方形の角軸２３が、脚部５３、５４間から外方に向かって挿入され、軸穴５４ａを貫通した角軸２３の丸軸部２３ａがボディ内側面１８の内壁に形成された軸受け凹部１８ｂ（図６参照）に嵌められる。角軸２３は、両端部に両丸軸部２３ａ、２３ｂが形成され、一方の丸軸部２３ａは受け凹部１８ｂに回動自在に軸支され、他方の丸軸部２３ｂは他の部材、本実施例では後述のリンクレバーブラケット２７によって回動自在に支持されかつ抜け止めが防止される。
【００１６】
つまり軸２１は、ボディ内側面１８に形成された軸受け凹部１８ａに、回動しない状態で固定されている。したがって、軸穴５３ａは軸２１に対して摺接しながら回動する。一方、角軸２３は、膨出部１２の内面に形成された軸受け凹部１８ｂに嵌る丸軸部２３ａにより回動自在に軸支され、軸穴５４ａと一体に回動する。このようにストロボケース５１は、軸２１および角軸２３によって回動自在に軸支されているが、軸２１は回転せず、角軸２３はストロボケース５１と一体に回転する。
【００１７】
さらに軸２１、２３は、軸２１、２３をボディ内側面１８に形成された軸受け凹部１８ａ、１８ｂに嵌めた後に、ボディ内側面１８に固定される他の部材によって押さえられ、抜け止めされる。本実施例では、軸２１は、ボディ内側面１８に固定されるロックブラケット２５によって押さえられ、角軸２３は、ボディ内側面１８に固定されるリンクレバーブラケット２７によって押えられている。
【００１８】
ロックブラケット２５は、開放側がボディ内側面１８に向けられる、略コ字状に形成されていて、底面には、ロックレバー３３を回転自在に軸支するための軸２５ａが突設されている。軸２５ａの先端面には、カバープレート３５が固定される。ロックレバー３３は、その筒状軸部３３ａを軸２５ａに嵌合することで、軸２５ａを軸として回動自在に軸支される。このロックレバー３３の一方の先端部には、係合溝５５ａに嵌合し得るフック３３ｂが形成されている。筒状軸部３３ａを挟んでフック３３ｂとは反対側には当て付け片３３ｃが形成されていて、ポップアップボタン１９が押し込まれたときに当て付け片３３ｃが押され、ロックレバー３３をフック３３ｂと係合溝５５ａとの係合が解除される方向に回動させる。このロックレバー３３は、図示しない弾性部材、例えばトーションバネによって常にフック３３ｂが係合溝５５ａに係合する方向に回動付勢されている。
【００１９】
ロックレバー３３の筒状軸部３３ａが軸２５ａに嵌合された後に、カバープレート３５が軸２５ａの端面に固定される。カバープレート３５は、一方の端部には固定穴３５ａが形成されていて、この固定穴３５ａを貫通して軸２５ａのねじ穴にねじ込まれるねじ（図示せず）を介して軸２５ａの端面に、片持ち梁状に固定される。またこのカバープレート３５は、ロックレバー３３の抜け止めとしての作用を果たしている。
【００２０】
ロックブラケット２５の底面には略扇形の切り起こし片２６が一体に形成されていて、この切り起こし片２６に、ポップアップボタン１９に嵌合されるピン３７を支持する穴が形成されている。ピン３７は、頭部がキャップ状のポップアップボタン１９に挿入され、軸部３７ａがこの切り起こし片２６の穴を貫通している。そして、軸部３７ａの先端はロックレバー３３の当て付け片３３ｃに当接し、ポップアップボタン１９が突出する方向に押されている。
【００２１】
またロックブラケット２５は、所定間隔で対向する一対の起立片の先端縁部には、軸２１の両角形部２１ａ、２１ｂを押さえる軸押さえ部２５ｂ、２５ｂ、およびリンクレバー２９の端部に突設されたピン２９ｂを押さえるリンク押さえ部２５ｃ（一方のみ図示）が形成されている。これらの押さえ部２５ｂ、２５ｂ、２５ｃは、ロックブラケット２５がボディ内側面１８に固定されたときに、軸２１の角形部２１ａをボディ内側面１８の軸受け凹部１８ａとで回動不能に挟持し、ピン２９ｂをボディ内側面１８の軸受け凹部１８ｃとの間で回動自在に支持する。ロックブラケット２５をボディ内側面１８に固定するときは、その底部に形成された位置決め穴２５ｅ、位置決め長溝２５ｆを、ボディ内側面１８に突設された位置決めピン１８ｄ、１８ｅに嵌合させて位置決めする。その後、ロックブラケット２５の底部に形成された遊び穴を貫通して、ボディ内側面１８に突設されたボスのねじ穴にねじをねじ込んで固定する。
【００２２】
リンクレバーブラケット２７も、ボディ内側面１８側が開放した、略コ字状に形成されていて、所定間隔で対向する一対の起立片の先端縁部には、ボディ内側面１８に固定されたときに角軸２３の丸軸部２３ａを軸受け凹部１８ｂに対して回動可能に保持する軸押さえ部２７ａ、およびリンクレバー３１の端部に突設されたピン３１ｂを押さえるリンク押さえ部が形成されている。リンクレバーブラケット２７の底部には位置決め穴２７ｂ、位置決め溝２７ｃが形成されている。リンクレバーブラケット２７をボディ内側面１８に固定するときは、まず位置決め穴２７ｂ、位置決め溝２７ｃを、ボディ内側面１８に突設された位置決めピン１８ｆ、１８ｇに嵌合させて位置決めする。そして、ボディ内側面１８に突設されたボス端面のねじ穴に、リンクレバーブラケット２７の底部に形成された遊び穴を貫通させたねじをねじ込んでリンクレバーブラケット２７をボス（ボディ内側面１８）に固定する。この固定状態において、角軸２３は先端の丸軸部２３ａが軸押さえ凹部１８ｂと軸押さえ部２７ａとによって回動自在に支持される。リンクレバー３１のピン３１ｂはボディ内側面１８の軸受け凹部とリンクレバーブラケット２７の軸押さえ部とによって回動自在に支持される。
【００２３】
なお、リンクレバー２９、３１は、ストロボケース５１を使用位置に位置決めする部材である。リンクレバー２９、３１の一方の端部に突設されたピン２９ａ、３１ａが脚部５３、５４に形成された長溝５３ｂ、５４ｂに嵌合され、他方の端部に突設されたピン２９ｂ、３１ｂが、ブラケット２５、２７とボディ内側面１８とによって回動自在に支持されている。ピン２９ａ、２９ｂ、３１ａ、３１ｂはそれぞれの先端部に抜け止め用フランジ部が形成されている。ピン２９ａ、３１ａは、長溝５３ｂ、５４ｂの一方端部に形成された大径部から挿入され、溝側にスライドさせることで、抜け止め用フランジ部によってカム溝５３ｂ、５４ｂから抜け落ちるのが防止される。そして、ピン２９ａ、３１ａが長溝５３ｂ、５４ｂの他方の端部に当接するとストロボケース５１の回転が止まり、その位置に保持される。この位置が使用位置である。
【００２４】
以上の構成からなる内蔵ストロボの外部ユニット５０を上飾り板１１に装着する工程は、次の通りである。まず、予め各部品を組み立てる。例えば、ストロボケース５１に発光ユニット６１を装着する。なお、発光ユニット６１の発光を制御するライン（図示せず）は、ストロボケース５１、ストロボカバー５２で閉じられる空間から引き出されている。また、ロックブラケット２５の切り起こし片２６の穴にはコイルスプリング３８が嵌装されたピン３７を嵌め、一体化させる。これらは、既に組み付けられた部品として供給することが望ましい。
【００２５】
リンクレバー２９のピン２９ａを長溝５３ｂに、リンクレバー３１のピン３１ａを長溝５４ｂにそれぞれ、長溝５３ｂ、５４ｂの一方の端部の大径部から差し入れてスライドさせて、抜けない状態とする。この状態で、脚部５３、５４、リンクレバー２９、３１を内蔵ストロボ収納部１７の対応する開口から差し入れる。
【００２６】
フランジ部１２ａにポップアップボタン１９を落とし込む。そして、トーションバネ２２を軸穴５３ａと軸穴５３ａとの間に入れ、軸穴５３ａと軸穴５４ａとの間から軸２１を軸穴５３ａに挿入し、角形部２１ａを軸受け凹部１８ａに嵌める。そして、リンクレバー２９のピン２９ｂを軸受け凹部１８ｃに嵌合し、ポップアップボタン１９をフランジ部１２ａの穴に差し込む。この状態で、これら軸２１の角形部２１ａ、ピン２９ｂを軸受け凹部１８ａ、１８ｃに保持するように、コイルスプリング３８とピン３７が一体に装着されているロックブラケット２５を、その位置決め穴２５ｅ、位置決め長溝２５ｆをそれぞれ位置決めピン１８ｄ、１８ｅに嵌合させて位置決めし、ボディ内側面１８にねじ止めする。この状態でトーションバネ２２をチャージしてストロボカバー５２を被せる。
【００２７】
同様に角軸２３を軸穴５４ａに差し込み、丸軸部２３ａを軸受け凹部１８ｂに嵌める。さらにリンクレバー３１のピン３１ｂをカメラボディ内側面１８に形成された軸受け凹部に嵌めてる。その後、リンクレバーブラケット２７を、位置決め穴２７ｂを位置決めピン１８ｆに、位置決め溝２７ｃを位置決めピン１８ｇに嵌合させて位置決めし、ねじ止め固定して、リンクレバーブラケット２７で丸軸部２３ａ、ピン３１ｂを抜け止めすると共に軸支する。なお、ストロボカバー５２の装着とリンクレバーブラケット２７の装着は、どちらを先に行ってもよい。最後に、ロックレバー３３とカバープレート３５を組み立てる。以上の作業で、外部ユニット５０の装着作業は終了する。
【００２８】
このように本発明の実施の形態は、ストロボカバー５１の脚部５３、５４を断面コ字形状に形成し、各脚部５３、５４の対向する二つの面にそれぞれ軸穴５３ａ、５４ａを形成し、軸穴５３ａを貫通する軸２１、軸穴５４ａを貫通する角軸２３によって上飾り板１１に軸支しているので、脚部５３、５４、軸支部の強度および剛性が高い。
【００２９】
【発明の効果】
以上の説明から明らかな通り本発明は、発光部を収納位置と使用位置とに移動させるストロボケースを有し、このストロボケースのペンタプリズムを跨ぐ一対の脚部を断面コ字状とし、各脚部を断面コ字形状に形成し、対向する二つの面にそれぞれ形成した軸穴を貫通する軸によってカメラボディに装着するので、脚部、軸支部の強度および剛性が高く、しかも軸を前記各脚部が対向する内側から軸穴を貫通させて突出する一方の端部をカメラボディの軸受凹部に嵌合させ、他方の端部を他の部材によってカメラボディに対して回動自在に支持しますから、軸の装着が容易となる。さらにストロボケースの脚部を、該脚部のコ字状の開放側に装着されたストロボケースとによって箱形に形成すれば、組み立てが容易になり、強度、剛性をより高めることができる。
【図面の簡単な説明】
【図１】  本発明をストロボ内蔵一眼レフカメラに適用した実施形態を、内蔵ストロボを使用位置に移動してその周辺の様子示す斜視図である。
【図２】  実施形態を、内蔵ストロボを収納位置に移動してその周辺の様子示す斜視図である。
【図３】  同一眼レフカメラに搭載するストロボケースをストロボカバーを取り外して脚部側から見た斜視図である。
【図４】  同ストロボケースおよびその支持機構を分解して下方から示す斜視図である。
【図５】  同ストロボ外部ユニットを装着し、収納した状態を、カメラボディ内部から見た底面図である。
【図６】  図５の切断線VI−VIに沿う要部断面図である。
【図７】  図５の切断線VII−VIIに沿う要部断面図である。
【図８】  図５の切断線VIII−VIIIに沿う要部断面図である。
【符号の説明】
１１  上飾り板
１３  ペンタ屋根部
１５  アクセサリーシュー取り付け部
１７  内蔵ストロボ収納部
１８  カメラボディ内側面
１８ａ  １８ｂ  １８ｃ  軸受け凹部
１８ｄ  １８ｅ  位置決めピン
１９  ポップアップボタン
２１  軸
２１ａ  ２１ｂ  角形部
２３  角軸
２３ａ  ２３ｂ  丸軸部
２５  ロックブラケット
２７  リンクレバーブラケット
２９  リンクレバー
２９ａ  ２９ｂ  ピン
３１  リンクレバー
３１ａ  ３１ｂ  ピン
５０  外部ユニット
５１  ストロボケース
５３  脚部
５３ａ  軸穴
５４  脚部
５４ａ  軸穴
６１  発光ユニット
【図１】
0003742552.tif 000002
【図２】
0003742552.tif 000003
【図３】
0003742552.tif 000004
【図４】
0003742552.tif 000005
【図５】
0003742552.tif 000006
【図６】
0003742552.tif 000007
【図７】
0003742552.tif 000008
【図８】
0003742552.tif 000009